(57)【要約】      （修正有）【課題】  冷蔵庫に収納して飲料水を程よく冷やしておけるサイズで更にコップに汲取りが出来る構造の電動ポンプ式浄水器を提供する。【解決手段】浄水カートリッジ１を箱状の水溜容器２の底部２ａに直下据付け、その一部に電動式ポンプ装置のボックス体３を着脱自在に収容する。ボックス体３には、中空状の導水パイプ５がモーター１３の主軸に直結して高速回転して飲料水を吸込み給水する回動自在に収納されたモーターケース体１２の羽根車３ｂが浄水用カートリッジ１と並列して、浄水室４内に配設し、羽根車３ｂの回転による飲料水の給水がおこなわれる。【選択図】  図１
2006021186.tif 000002
【特許請求の範囲】
【請求項１】
水道水を浄水するのに使われる浄水カートリッジ（１）を水道水をためて、浄水カートリッジ（１）に流し込む水溜め容器（２）の底部（２ａ）に直下据付け、その箱状の水溜め容器（２）の一部に電動ポンプ装置のボックス体（３）を着脱自在に収容し、そのボックス体（３）は、内蔵する乾電池（１１）と電源スイッチ（８ａ）とでなり、これらのボックス体（３）の底（３ａ）を貫通して、一体構成した中空状の導水パイプ（５）の端部にモーター（１３）の主軸に直結して高速回転して飲料水を吸込み給水する羽根車（３ｂ）が回動自在に収納されたモーターケース体（１２）が浄水カートリッジ（１）と並列して、浄水室（４）内に配設し、羽子車（３ｂ）の回転による飲料水の給水がモーターケース体（１２）と一体構成して頂部がＬ字形状の導水パイプ（５）を通過し、その導水パイプ（５）のＬ字形状の端子の浄水の出る蛇口（６）が、外部に露出して設けた電源スイッチ（８ａ）の電源スイッチノブ（８）の上部に近接して構成したことを特徴とする電動ポンプ式浄水器。
【請求項２】
上記する羽根車（３ｂ）によって浄水室（４）の浄水を給水し、外部に飲料水を注出する蛇口（６）を回動自在にし、非使用時は蛇口（６）がボックス体（３）をおいて係合する蓋体（７）の面上に配設し、ポンプ使用時は、蛇口（６）を回動し、ボックス体（３）の側面に露出する電源スイッチノブ（８）の上部に位置して、転位自在にし冷蔵庫内に収容のまま給水可能にしたことを特徴とする請求項１記載の電動ポンプ式浄水器。
【請求項３】
上記する蛇口（６）の回動によって、それに連動する導水パイプ（５）の外周に傾斜状のカム（９）を固定し、そのカム（９）の回動に符号して接合するスイッチ体（１０）のレバー（１０ａ）に作動することで、スイッチ体（１０）の開成（ＯＦＦ）と閉成（ＯＮ）とが可能で、これらのスイッチ体（１０）が電源スイッチ（８ａ）と連係配線することで蛇口（６）の位置が回動によって電源スイッチノブ（８）の上部に移位した時のみスイッチ体（１０）が閉成（ＯＮ）し通電可能にしたことを特徴とする請求項２記載の電動ポンプ式浄水器。
【発明の詳細な説明】
【技術分野】
【０００１】本発明は、水道水を浄水しておいしい飲料水にするための浄水器に関する。詳しくは、浄水カートリッジを備えた浄水装置とその浄水装置によって浄水された飲料水を外部に給水するための電動ポンプ装置を着脱自在に浄水室に備えた電動ポンプ式浄水器に関する。
【背景技術】
【０００２】此の種の従来の技術として、図４で示すように家庭での食卓などで使われる浄水ポット１０１が知られる。此れらの浄水ポット１０１は本体１０２の開口部に水溜１０３を設け、その中央部に位置してカートリッジ１０４が直下して着脱自在に水溜１０３と係合している。【０００３】そして、水道水が蛇口１０５から水溜１０３に除々に流し込まれ、これらの水道水がカートリッジ１０４のスリット式の入口１０４ａから侵入してそのケース内に封印されて収容されている活性炭などの浄水剤を水道水が通過することで浄水となった飲料水がカートリッジ１０４の下部に設けたスリット式の１０４ｂから注出されて浄水室１０６に溜められる。【０００４】このように浄水が浄水室１０６に溜められて蓋１０６ａをして始めて卓上で浄水ポット１０１の注ぎ口１０１ａからコップなどに移されておいしい飲料水として利用される。
【発明の開示】
【発明が解決しようとする課題】
【０００５】しかしながら上記する従来技術での場合、浄水ポット１０１は利用者が手で持ち上げて傾斜させてコップに注ぎ口１０１ａから移されるため出来るだけ小形軽量に重点を置かれることで、水道水を水道蛇口１０５から浄水ポット１０１の水溜１０３が小さな容積になることで、水道水がカートリッジ１０４の入口１０４ａから入って出口１０４ｂから浄水された飲料水が出るまでのゆったりとした浄水時間に整合しなければならないため、水道蛇口１０５の水の出加減を微調整しなければならず水道蛇口１０５から水量が多過ぎると水溜１０３からこぼれたり、水量が少な過ぎても時間が掛り過ぎるなどの課題がある。【０００６】そしてまた、手持ち用の卓上で使う浄水ポット１０１の浄水室１０６の中に収納しているカートリッジ１０４のスペースの占める割合が比較的大きくなるため浄水室１０６に蓄える飲料水が限られるという課題がある。【０００７】これらの手持ち用での浄水ポット１０１に変わって大家族での使用可能な大型で卓上に設定したままの状態で浄水ポットを持たずに注ぎ口１０１ａからコップに汲み出せるポンプ式の卓上型の浄水型の浄水器が強く望まれていた。【０００８】そしてまた、これらの浄水器が非使用時は家庭の冷蔵庫に収納して飲料水をほどよく冷やしておけるサイズでの浄水器が望まれ、更にはそれらが冷蔵庫に収納した状態で冷やされた飲料水をコップに汲取ることが出来る構造であることが要望されていた。
【課題を解決するための手段】
【０００９】この発明は、かかる課題を解決するための、請求項１での発明は、図１で述べるように水道水を浄水するのに使われる浄水カートリッジ１を水道水を溜める水溜め容器２の底部２ａに直下据付け、その水溜め容器２の一部に電動式ポンプ装置のボックス体３を着脱自在に収容し、そのボックス体３の底３ａに一体構成したモーターに直結して高速回転して給水する羽根車３ｂを浄水用カートリッジ１と並列している。【００１０】そして浄水室４に配設し、羽根車３ｂによる給水が導水パイプ５を通過して、蛇口６から注出可能にしている。【００１１】次に請求項２についての発明を図１．２で述べるに電動ポンプ装置のボックス体３の底３ａに一体構成したモーターに直結して高速回転して給水する羽根車３ｂによって浄水室４の飲料水を給水し外部に注出する蛇口６を左右に回転可動可能にしている。【００１２】また、非使用時は、蛇口６がボックス体３の具備する蓋体７の面上に配納し、ポンプ使用時に蛇口６を回動して、ボックス体３の側面に露出する電源スイッチノブ８の上部に変位可能にした構成である。【００１３】つぎに請求項３についての発明を再度図１で述べるに、ポンプ使用時に蓋体７の面上に配納した蛇口６を回動してボックス体３の側面に変位する蛇口６に連動する導水パイプ５の外周に傾斜状のカム９を設け、そのカム９に符号して接合するスイッチ体１０のレバー１０ａに作動することで、スイッチ体１０の開成（ＯＦＦ）と閉成（ＯＮ）とが電源スイッチ８ａの配線回路との２個のスイッチで配列構成する。【００１４】そして、蛇口６の回動が電源スイッチノブ８の上部に転位した時のみスイッチ体１０が閉成（ＯＮ）し通電可能な配線構成である。
【発明の効果】
【００１５】本発明は上述の通り構成作用することで次の優れた効果を奏する。即ち、第１実施例で述べるように、浄水カートリッジと給水用の電動式ポンプ装置を組合わせることで、スイッチノブにコップを押圧することで、容器を据え付けたまま持たずに給水の出来る電動ポンプ式浄水器を提供出来る。【００１６】また、水溜め容器の一部に収容した着脱自在の電動式ポンプ装置のボックス体を除外することで多量の水道水を注ぎ込める水溜め容器を具備する電動ポンプ式浄水器を提供出来る。【００１７】次に第２実施例で述べるように、蛇口が回動自在で、非使用時は電源スイッチノブ位置より変位して蓋体の面上に配納の出来るコンパクトな冷蔵庫内で収納のまま冷えた飲料水を給水の出来る電動ポンプ式浄水器を提供出来る。【００１８】次に第３実施例で述べるように、回動変位する蛇口に連動するカムがそれに接合するスイッチ体を設けることで蛇口が蓋体の面上に配納している間は、電源スイッチノブに押圧してスイッチ体が閉成（ＯＮ）状態においてもスイッチ体が開成（ＯＦＦ）になることで蛇口から飲料水が流出しない電動ポンプ式浄水器を提供することが出来る。
【発明を実施するための最良の形態】
【００１９】以下実施例に基づいて本発明を更に詳細に説明する。
即ち図１は本発明での第１実施例に基づく一部断面での全体斜視図で電動ポンプ装置のボックス体３は、乾電池１１と電源スイッチ８ａとが収容され、これらのボックス体３の側面には、電源スイッチ８ａに連動する電源スイッチノブ８が露出され、底３ａに直下する中空状で端部に一体構成するモーターケース体１２の飲料水の吸込み孔１２ａから飲料水を吸込むための、モーター１３に直結して高速回転する羽根車３ｂが内設するモーターケース体１２に一体する導水パイプ５が設けられ、それぞれの電気部品が結線され電動式ポンプ装置が形成される。この場合導水パイプ５中空部の中をリード線１３ａが通っている。【００２０】そしてこれらの導水パイプ５の他方の端子は吸込まれた飲料水を外部に注出すめための蛇口６がボックス体３の中央部を通過する導水パイプ５にＬ字形状に屈曲してボックス体３の側面に露出する電源スイッチノブ８の上部に位置して設けられ、これらの電動式ポンプ装置が箱状の水溜め容器２の一部に着脱差込み自在に収容される。【００２１】このようにボックス体３と高速回転する羽根車３ｂを収納するモーターケース体１２と一体化する導通パイプ５と蛇口６とで構成する電動式ポンプ装置は、ボックス体３と係合してなる蓋体７と合体して箱状の水溜め容器２に着脱自在に係合する。【００２２】更に、これらの水溜め容器２は箱状の底部２ａに水道からそそぎ込まれた水道水を浄化するための浄水カートリッジ１が浄水を溜める箱状で透明体での第２浄水室１５の内部に吊下った構成で、導水パイプ５と一体化するモーターケース体１２が出し入れする水溜め容器２の箱状での底部２ａに開口し、開閉蓋１４付の孔に差込まれた状態で浄水カートリッジ１と並列して透明体での第２浄水室１５に収納される。【００２３】また、本実施例では上記する透明体の第２浄水室１５はその外壁に沿って水量窓４ａ付での浄水室４が設けられ二重構造にして第２浄水室１５に貯水された浄水量が外部から確認される構成であるが、浄水室４の側面に設けた水量窓４ａを透明体の板状で密封して第２浄水室１５を排除してもよい。【００２４】このように構成された第１実施例での本発明は、浄水カートリッジ１の収容する浄水室４に電動式ポンプ装置を合体したものであるが、水道水の汲取りは、水溜め容器２からボックス体３を取出して，底部２ａのモーターケース体１２の出し入れする孔に設けた開閉蓋１４を密封した後にボックス体３を除いて大型化する水溜め容器２に水道水が適量を溜められて、除々に浄水カートリッジ１を通過する水道水が浄水された飲料水を浄水室４に蓄えられることになる。【００２５】そして、水道水の浄水が終了した後に水ため容器２の底部２ａに開口する孔の開閉蓋１４を密封から開放し、その孔にボックス体３の一体化するモーターケース体１２の差込みを行ない水溜め容器２に電動式ポンプ装置がセットされる。【００２６】次に第２実施例を図１．２での分解斜視図で説明するが、第１実施例での蛇口６を回動自在にし、非使用時は蛇口６がボックス体３の具備する蓋体７の面上に配納し、ポンプ使用時に蛇口６を回動して手前に位置して、電源スイッチノブ８の上部に変位可能な構成である。【００２７】これらの蛇口６の変位可能な構成は、ボックス体３の底３ａに直下するモーターケース体１２を具備してなる導水パイプ５は底３ａを貫通させて底３ａ部で接合させて導水パイプ５が回動自在にしている。即ち導水パイプ５の端子にＬ字形状で接続する蛇口６は常時モーターケース体１２と同期して回動することになる。【００２８】そして、これらの蛇口６の回動によって使用時は、蛇口６を手前に回して、電源スイッチノブ８の上部にセットすることで利用者はコップを手に持って電源スイッチノブ８に押し圧することで電源スイッチ８ａが閉成（ＯＮ）し羽根車３ｂが高速回転して蛇口６から給水されコップに汲取られる。【００２９】そして使用後は、回動（転位）する蛇口６を手前から蓋体７の面上のくぼみに収納することで、蛇口６の突起がおさまり冷蔵庫にコンパクトに収納可能な構成である。【００３０】次に第３実施例を図１で述べるに、蛇口６の回動によって、それに連動する導水パイプ５の外周に傾斜状のカム９を設け，そのカム９に符号して接合するスイッチ体１０のレバー１０ａに作動することでスイッチ体１０の開成（ＯＦＦ）と閉成（ＯＮ）とが、電源スイッチ８ａの配線回路との２個のスイッチにし、蛇口６の回動が閉成（ＯＮ）と開成（ＯＦＦ）を可能にした構成である。【００３１】即ち、図１で述べるに導通パイプ５の頂部に一体構成する傾斜状のカム９が蛇口６を使用状態での手前から矢印方向に回転させることでカム９の頂上がレバー１０ａに接合し押し圧することで、電源スイッチ８ａと配線して構成するスイッチ体１０が開成（ＯＦＦ）することで、蛇口６が蓋体７の面上のくぼみに収納された状態では、外部に露出する電源スイッチ８ａの電源スイッチノブ８に押し圧（ＯＮ）してもモーターに通電しないことで給水を不可にしている。
【図面の簡単な説明】
【００３２】
【図１】  本発明に係る第１，第２，第３実施例での全体を示す一部断面での分解斜視図である。
【図２】  本発明に係る第２実施例での一部断面での分解斜視図である。
【図３】  本発明に係る第１，第２実施例での外観斜視図である。
【図４】  従来技術での一部断面での全体斜視図である。
【符号の説明】
【００３３】１        浄水カートリッジ
２        水溜め容器
２ａ      底部
３        ボックス体
３ａ      底
３ｂ      羽根車
４        浄水室
４ａ      水量窓
５        導水パイプ
６        蛇口
７        蓋体
８        電源スイッチノブ
８ａ      電源スイッチ
９        カム
１０      スイッチ体
１０ａ    レバー
１０１    浄水ポット
１０１ａ  注ぎ口
１０２    本体
１０３    水溜
１０４    カートリッジ
１０４ａ  入口
１０４ｂ  出口
１０６    浄水室
１０６ａ  蓋
【図１】
2006021186.tif 000003
【図２】
2006021186.tif 000004
【図３】
2006021186.tif 000005
【図４】
2006021186.tif 000006